(57)【要約】【課題】  複数の入賞球が連続して進入した場合でも確実に可動片を閉じさせる。【解決手段】  天秤式に傾動するように筐体２内に配設された操作部材３と、操作部材３の前端部３４が当接し、当該前端部３４の上昇移動に伴って開放させられるとともに前端部３４の下降移動に伴って閉鎖させられる可動片４Ａ，４Ｂと、操作部材３の前端部３４側に設けられ、開放された可動片４Ａ，４Ｂを通過した入賞球が流通する通路Ｓ内に進出して前端部３４よりも下流側の通路Ｓ内で入賞球が当接する当接部材３９とを具備する。操作部材３は入賞球がその凹所３３上に当接した時の荷重によって前端部３４が上昇移動させられるとともに、上記入賞球が当接部材３９に当接した時の荷重によって前端部３４が下降移動させられる。操作部材３の前端部３４には、可動片４Ａ，４Ｂを通過した入賞球を下流側へ通過させるための切欠き部３５を形成する。【選択図】        図２
2005296227.tif 000002
【特許請求の範囲】
【請求項１】
略中間部を軸支されて傾動するように筐体内に配設された操作部材と、操作部材の一端部が当接し、当該一端部の上昇移動に伴って開放させられるとともに前記一端部の下降移動に伴って閉鎖させられる可動片と、前記操作部材の一端部側に設けられ、開放された前記可動片を通過した第１の入賞球が流通する通路内に進出して前記一端部よりも下流側の通路内で前記第１の入賞球が当接する当接部材とを具備し、前記操作部材は第２の入賞球がその他端部に当接した時の荷重によって前記一端部が上昇移動させられるとともに、前記第１の入賞球が前記当接部材に当接した時の荷重によって前記一端部が下降移動させられるものである遊技機の入賞球受口器において、下降移動時に前記通路内に突出する前記操作部材の前記一端部に、前記可動片を通過した第１の入賞球を下流側へ通過させるための切欠き部を形成したことを特徴とする遊技機の入賞球受口器。
【請求項２】
前記操作部材の一端部側に、少なくとも第２の入賞球が前記他端部から前記一端部へ向けて通過するのを阻止するストッパ部を設けた請求項１に記載の遊技機の入賞球受口器。
【請求項３】
前記筐体に入賞口を設けるとともに、当該入賞口へ流入した前記第２の入賞球を前記操作部材の他端部へ案内する案内部材を設け、かつ当該案内部材の一部を前記ストッパ部と協働させて少なくとも前記第２の入賞球が前記他端部から前記一端部へ向けて通過するのを阻止するようにした請求項２に記載の遊技機の入賞球受口器。
【発明の詳細な説明】
【技術分野】
【０００１】
本発明は、パチンコ遊技機、アレンジボール遊技機等の遊技機の入賞球受口器に関し、特に、開放および閉鎖動作を行う可動片を備えた入賞球受口器に関する。
【背景技術】
【０００２】
この種の入賞球受口器には、一対の翼状可動片を備えて、特別遊技状態ではこれら翼状可動片を大きく離間方向へ開いて入賞球を受けるようにして、受口器への入賞確率が飛躍的に高まるようにしたものがある。そして、上記可動片の開閉作動を、特許文献１に示すように、入賞球の荷重が両端のいずれに付加されるかによって正逆傾動する、いわゆる天秤式の操作部材によって行うようにしたものが知られている。
【特許文献１】実公平８−５７４２
【発明の開示】
【発明が解決しようとする課題】
【０００３】
ところで、従来の天秤式操作部材を使用した入賞球受口器において、開放した可動片に複数の入賞球が連続して進入すると可動片が開いたままになって、特別遊技状態が予期しない長さで続くことがあるという不具合があった。
【０００４】
そこで本発明はこのような課題を解決するもので、複数の入賞球が連続して進入した場合でも確実に可動片を閉じた状態にすることが可能な遊技機の入賞球受口器を提供することを目的とする。
【課題を解決するための手段】
【０００５】
上記目的を達成するために、本第１発明では、略中間部を軸支されて傾動するように筐体（２）内に配設された操作部材（３）と、操作部材（３）の一端部（３４）が当接し、当該一端部（３４）の上昇移動に伴って開放させられるとともに一端部（３４）の下降移動に伴って閉鎖させられる可動片（４Ａ，４Ｂ）と、操作部材（３）の一端部（３４）側に設けられ、開放された可動片（４Ａ，４Ｂ）を通過した第１の入賞球が流通する通路（Ｓ）内に進出して一端部（３４）よりも下流側の通路（Ｓ）内で上記第１の入賞球が当接する当接部材（３９）とを具備し、操作部材（３）は第２の入賞球がその他端部（３３）に当接した時の荷重によって一端部（３４）が上昇移動させられるとともに、上記第１の入賞球が当接部材（３９）に当接した時の荷重によって一端部（３４）が下降移動させられるものである遊技機の入賞球受口器において、下降移動時に通路（Ｓ）内に突出する操作部材（３）の一端部（３４）に、可動片（４Ａ，４Ｂ）を通過した第１の入賞球を下流側へ通過させるための切欠き部（３５）を形成する。ここで、「閉鎖」には、入賞球の通過が相対的に困難になる状態が含まれる。また、「開放」には、入賞球の通過が相対的に容易になる状態が含まれる。
【０００６】
従来は、可動片を複数の第１の入賞球が連続して通過し進入すると、最初の入賞球が当接部材に当接して操作部材の一端部が下降移動させられ、可動片が閉鎖させられるが、下降した操作部材の一端部に、続く入賞球が載ってその他端部方向へ転動すると、その荷重（重量）によって操作部材の一端部が上昇移動させられて可動片が再び開放されてしまう。ここにおいて、本第１発明では、操作部材の一端部に、第１の入賞球を下流側へ支障無く通過させる切欠き部を形成することにより、連続して進入する入賞球が操作部材上に載ることはない。これにより、操作部材の一端部が下降した状態、すなわち可動片が閉鎖した状態が維持される。
【０００７】
本第２発明では、上記操作部材（３）の一端部（３４）側に、少なくとも第２の入賞球が他端部（３３）から一端部（３４）へ向けて通過するのを阻止するストッパ部（３６）を設ける。本第２発明においては、第２の入賞球が操作部材に当ったり、複数入賞した第２の入賞球同士が接触する等によって操作部材の一端部方向へ跳ねる（流通する）ことがあっても、ストッパ部の存在によって一端部方向への移動は阻止され、操作部材の一端部が上昇した状態、すなわち可動片の開放状態が確実に維持される。また、第１の入賞球が可動片に当たる等によって操作部材の他端部方向へ跳ねることがあっても、ストッパ部の存在によって他端部方向への移動が阻止され、操作部材の一端部が下降した状態、すなわち可動片の閉鎖状態が確実に維持される。
【０００８】
本第３発明では、上記筐体（２）に入賞口（１１）を設けるとともに、当該入賞口（１１）へ流入した上記第２の入賞球を操作部材（３）の他端部（３３）へ案内する案内部材（２４，２５）を設け、かつ当該案内部材（２４，２５）の一部（２５１）を上記ストッパ部（３６）と協働させて少なくとも第２の入賞球が他端部（３３）から一端部（３４）へ向けて通過するのを阻止するようにする。本第３発明においては、操作部材の一端部方向への第２の入賞球の移動がさらに確実に阻止されて、可動片の開放状態が維持される。また、操作部材の他端部方向への第１の入賞球の移動がさらに確実に阻止されて、可動片の閉鎖状態が維持される。
【０００９】
なお、上記カッコ内の符号は、後述する実施形態に記載の具体的手段との対応関係を示すものである。
【発明の効果】
【００１０】
以上のように、本発明に係る遊技機の入賞球受口器によれば、複数の入賞球が連続して進入した場合でも確実に可動片を閉じて特別遊技状態を終わらせることができる。
【発明を実施するための最良の形態】
【００１１】
図１は入賞球受口器１の正面図、図２はその断面図、図３はその平面図である。また、図４は容器部を取り去った状態で入賞球受口器１を後方から見た斜視図である。入賞球受口器１の筐体２は、詳細を後述する操作部材３を収納した容器部２１と、その前面に装着されたカバー部２２とから構成されている。容器部２１の前壁２１１には上下位置に開口２１２，２１３が形成されており、前壁２１１の外周部は外方へ突出する取付用のフランジとなっている。カバー部２２は容器部２１の前壁２１１に接する底壁２２１と、底壁２２１から立ち上がる前壁２２２を備えた断面Ｌ字状のもので、前壁２２２は上記前壁２１１よりも狭幅で、前壁２１１に対して一定間隔を保って略平行に延びている。前壁２２２の裏面には上下方向の中間の左右位置に、前壁２１１に向けて突出する一対の軸体４１が設けられて、これら各軸体４１にそれぞれ翼状の可動片４Ａ，４Ｂの基端部が貫通孔を嵌装させて回動可能に装着されている。前後の前壁２１１，２２２の間に位置させられた各可動片４Ａ，４Ｂは、図１に示すように、対向する内側面が平面状に成形され、外側面は膨出する曲面状に成形されている。図１は可動片４Ａ，４Ｂが閉鎖した（閉じた）状態のもので、左右の可動片４Ａ，４Ｂは内側面を略平行に対向させて起立姿勢となっている。
【００１２】
前後の上記前壁２１１，２２２間の空間Ｓの上部には上方へ開放した入賞口１１となっている。容器部２１の前壁２１１の左右位置からは上記入賞口１１の両側縁に沿って（図３）一定径の丸棒状の強化部２３が突出している。この強化部２３によって、遊技球（入賞球）が当たった際の衝撃に対する耐久性の向上が図られている。入賞口１１の直下にはカバー部２２の前壁２２２裏面に、案内部材を構成するガイド突起２４が突出形成されている。ガイド突起２４は上方へ開放する略Ｕ字断面をなし、上記空間Ｓの幅方向中央に位置して入賞口１１から進入した入賞球を受けるとともに、後方（図２の右方）へ向けて下り傾斜したその上面によって上記入賞球を容器部前壁２１１の開口２１２へ案内する。上記開口２１２の下縁には、案内部材を構成し下方と後方へ一定量突出する逆Ｌ字断面のガイド部２５（図２）が形成されており、その上面は上記ガイド突起２４上面の延長線に略一致する斜面となって、ガイド突起２４によって後方へ案内された入賞球を受けとってさらに後方の容器部２１内へ案内し、操作部材３上へ落下させる。本実施形態では、案内部材をガイド突起２４とガイド部２５に分割したから、ガイド突起２４が必要以上に長くなって大型化するのを回避することができる。
【００１３】
図５には操作部材３の詳細を示す。操作部材３は長方形状の板体で、その中間位置で幅方向へ貫設された軸部材３１が容器部２１の側壁間に回転可能に支持されて、天秤式に傾動可能である。操作部材３の一方の側縁にはこれに沿って長手方向へ一定高さのガイド壁３２が形成されて、操作部材３の上面に落下させられた入賞球を後端部（図の右端部）方向へ確実に案内するようにしてある。操作部材３はその一端部（前端部）３４が下降移動状態にある図２に示す傾倒状態では、全体が後方へやや下り傾斜している。操作部材３の他端部たる後端部には段付きに低くなりかつ側方へ傾斜した凹所３３が形成されており（図４）、操作部材３上に落下させられた入賞球が前端部方向へ逆流することなく上記傾斜にしたがって操作部材３上から落下排出されるようになっている。
【００１４】
傾倒状態の操作部材３の前端部３４は左右の可動片４Ａ，４Ｂの基端部間に割り込むように位置してこれら可動片４Ａ，４Ｂを起立させ、閉鎖させている。この状態で上記前端部３４は、左右の可動片４Ａ，４Ｂが開いた際に入賞球が流下する通路となる前壁２１１，２２２間の上記空間Ｓ内に突出しているが、当該前端部３４には、通路Ｓ内を流下する入賞球を下方へ支障無く通過させるように切欠き部３５が形成されている。また、切欠き部３５に隣接した操作部材３の前端部３４板面上には山形断面のストッパ部３６が一定幅で突出形成されており、当該ストッパ部３６の突出端はその上方に位置するガイド部２５の下方突出端２５１と対向してこれらの対向間隔が入賞球の外径よりも小さくなるようにしてある。操作部材３の前半部内には重錘３７が埋設されて傾倒状態を確実に維持するようになっている。また、操作部材３の後端部には下方へ露出させて幅方向へ延びる磁石体３８が嵌着されている。さらに操作部材３の前半部下面からは下方へ当接部材としての当接部３９が突出させてある。当接部３９は下端が前方へ水平に屈曲し、下端水平部３９１は前端に向けて漸次狭幅になって入賞球通路Ｓ内に突出している。操作部材３の後端部下方には、容器部２１の側壁間に上記磁石体３８が吸着可能な金属製棒体２６が架設されており、当該棒体２６は、両端部のみが適当長さで大径部２６１（図４）となり、中間部２６２は小径となっている。
【００１５】
このような構造の入賞球受口器１において、入賞口１１に入賞球が入ると、入賞球はガイド突起２４とガイド部２５に案内されて操作部材３上に落下し、ガイド壁３２によって操作部材３の後端部へ案内される。操作部材３の後端部に入賞球の荷重（重量）が加わると、操作部材３は前端部３４が上昇移動させらるように傾動し、図７に示すように、大きく傾斜した状態となる。この時、下降した操作部材３後端部の磁石体３８が金属製棒体２６の大径部２６１に吸着されて操作部材３が傾斜状態に保持される。大径部２６１は適当な長さとしてあるから、この時の保持力は適度な大きさとなる。操作部材３が傾斜状態になるとその前端部３４が左右の可動片４Ａ，４Ｂの基端部間から脱するため、各可動片４Ａ，４Ｂは起立状態から、図６に示すように、自重によって互いに離間する方向へ傾倒して開放される。なお、図６〜図９は左右の可動片４Ａ，４Ｂが開放した（開いた）状態を示す、それぞれ正面図、断面図、平面図、後方斜視図で、可動片４Ａ，４Ｂが閉じた状態を示す図１〜図４に対応するものである。
【００１６】
可動片４Ａ，４Ｂが開いた状態で入賞球が可動片４Ａ，４Ｂに受けられると、入賞球は左右の可動片４Ａ，４Ｂの基端部を押し拡げつつ落下して当接部３９の下端水平部３９１上に載り、これに当接する。当接部３９に入賞球の荷重（重量）が加わると、操作部材３は磁石体３８の吸引力に抗して、その前端部３４が下降移動するように傾動し、図１〜図４に示すような傾倒状態となる。これに伴い左右の可動片４Ａ，４Ｂは閉じられる。下端水平部３９１上に載った入賞球は操作部材３が傾倒状態になる間に下端水平部３９１上から落下排出される。なお、開いた状態の各可動片４Ａ，４Ｂの基端部上面には図９に示すように凹所４２が形成されて、これによって、可動片４Ａ，４Ｂに受けられた入賞球が再び遊技領域に放出されることがないようになっている。ここで、左右の各可動片４Ａ，４Ｂでは上記凹所４２の深さが互いに異ならせてあり、これによって、可動片４Ａ，４Ｂが開いた状態で複数の入賞球が可動片４Ａ，４Ｂに進入してもこれら入賞球が平衡状態とはならず、球詰まりを生じないようになっている。
【００１７】
ところで、可動片４Ａ，４Ｂが開いた状態で複数の入賞球が連続して可動片４Ａ，４Ｂに進入すると、最初の入賞球によって上述のように操作部材３は前端部３４が下降移動させられ、傾倒状態に向けて傾動する。そこで仮に、続く入賞球が、傾倒させられた操作部材３の上面に載ってその後端部方向へ転動すると、その重量によって操作部材３が再び傾斜状態に戻って可動片４Ａ，４Ｂが開放されてしまう。ここにおいて、本実施形態では操作部材３の前端部３４に、入賞球を下方へ支障無く通過させるような切欠き部３５が形成されているから、連続して進入する入賞球は、傾倒した操作部材３の上面に載ることはなく、下方へ通過させられて当接部３９の下端水平部３９１に当接し落下排出される。このようにして、可動片４Ａ，４Ｂが開いた状態で複数の入賞球が連続して可動片４Ａ，４Ｂに進入しても、操作部材３の傾倒状態は確実に維持されて、可動片４Ａ，４Ｂが再び開放されることはない。
【００１８】
本実施形態では、操作部材３の前端部３４上面にストッパ部３６が突設されているから、入賞球が操作部材３に当ったり、複数入賞した入賞球同士が接触する等によって操作部材３の前端部方向へ跳ねる（流下する）ことがあっても、ストッパ部３６の存在によって前端部方向への移動は阻止され、操作部材３の前端部３４が上昇した状態、すなわち可動片４Ａ，４Ｂの開放状態が確実に維持される。また、入賞球が可動片４Ａ，４Ｂに当たる等によって操作部材３の後端部方向へ跳ねることがあっても、ストッパ部３６によって後端部方向への移動は阻止され、可動片４Ａ，４Ｂの閉鎖状態が維持される。さらに本実施形態においては、上記ストッパ部３６の上方にガイド部２５が位置してその下方突出端２５１がストッパ部３６と対向し、その対向間隔は入賞球の外径よりも小さくしてあるから、操作部材３の前端部方向への入賞球の移動がさらに確実に阻止されて、可動片４Ａ，４Ｂの開放状態が維持される。また、操作部材３の後端部方向への入賞球の移動もさらに確実に阻止されて、可動片４Ａ，４Ｂの閉鎖状態が維持される。なお、本発明を使用することで、可動片４Ａ，４Ｂが閉鎖した状態において球が入賞した（可動片４Ａ，４Ｂ間を球が通過した）としても、可動片が開放しないタイプの入賞球受口器を構成することができる。
【図面の簡単な説明】
【００１９】
【図１】本発明の一実施形態を示す、可動片が閉じた状態での入賞球受口器の正面図である。
【図２】可動片が閉じた状態での入賞球受口器の断面図で、図１のII−II線に沿った断面図である。
【図３】可動片が閉じた状態での入賞球受口器の平面図である。
【図４】可動片が閉じた状態での入賞球受口器の後方斜視図である。
【図５】操作部材の斜視図である。
【図６】可動片が開いた状態での入賞球受口器の正面図である。
【図７】可動片が開いた状態での入賞球受口器の断面図で、図１のVII−VII線に沿った断面図である。
【図８】可動片が開いた状態での入賞球受口器の平面図である。
【図９】可動片が開いた状態での入賞球受口器の後方斜視図である。
【符号の説明】
【００２０】
１１…入賞口、２…筐体、２４…ガイド突起、２５…ガイド部、２５１…下方突出端、３…操作部材、３３…凹所、３４…前端部、３５…切欠き部、３６…ストッパ部、３９…当接部、４Ａ，４Ｂ…可動片、Ｓ…通路。
【図１】
2005296227.tif 000003
【図２】
2005296227.tif 000004
【図３】
2005296227.tif 000005
【図４】
2005296227.tif 000006
【図５】
2005296227.tif 000007
【図６】
2005296227.tif 000008
【図７】
2005296227.tif 000009
【図８】
2005296227.tif 000010
【図９】
2005296227.tif 000011